(57)【要約】  ＲＦＩＤリーダに作動電源が供給されない待機モードでディスプレイの駆動モードをチェックする段階と、ディスプレイの駆動モードがスリップモードである場合にはＲＦＩＤリーダの待機モードを維持し、ディスプレイの駆動モードが作動モードである場合にはＲＦＩＤメニューインターフェースをチェックする段階と、ＲＦＩＤメニューインターフェースがＲＦＩＤ自動探知機能が設定されていない状態であるとチェックされると、ＲＦＩＤリーダの待機モードを維持し、ＲＦＩＤ自動探知機能が設定された状態であるとチェックされると、ＲＦＩＤリーダに作動電源を供給して読取モードに切り替えさせる段階とを含む移動端末のＲＦＩＤリーダ電源制御方法。
2010519842.tif 000002
【特許請求の範囲】
【請求項１】
（ａ）ＲＦＩＤ（ｒａｄｉｏ  ｆｒｅｑｕｅｎｃｙ  ｉｄｅｎｔｉｆｉｃａｔｉｏｎ）リーダに作動電源が供給されない待機モードでディスプレイの駆動モードをチェックする段階と、
（ｂ）前記ディスプレイの駆動モードがスリップモードである場合には前記ＲＦＩＤリーダの待機モードを維持し、前記ディスプレイの駆動モードが作動モードである場合にはＲＦＩＤメニューインターフェースをチェックする段階と、
（ｃ）前記ＲＦＩＤメニューインターフェースが、ＲＦＩＤ自動探知機能が設定されていない状態であるとチェックされると、前記ＲＦＩＤリーダの待機モードを維持し、前記ＲＦＩＤ自動探知機能が設定された状態であるとチェックされると、前記ＲＦＩＤリーダに作動電源を供給して前記ＲＦＩＤリーダを読取モードに切り替えさせる段階と
を含む移動端末のＲＦＩＤリーダ電源制御方法。
【請求項２】
前記電源制御方法は、
（ｄ）前記読取モードで前記ディスプレイの駆動モードをチェックすると共に前記移動端末が待機モードであるか、又は作動モードであるかをチェックする段階と、
（ｅ）前記（ｄ）段階で前記ディスプレイの駆動モードが前記スリップモードであるか、前記移動端末が前記待機モードであれば、前記ＲＦＩＤリーダに供給していた作動電源の供給を遮断して前記ＲＦＩＤリーダを前記読取モードから前記待機モードに切り替えさせる段階と
を更に含むことを特徴とする請求項１に記載の移動端末のＲＦＩＤリーダ電源制御方法。
【請求項３】
前記電源制御方法は、
（ｆ）前記（ｄ）段階で前記ディスプレイの駆動モードが前記作動モードであるか、前記移動端末が作動モードであれば、ＲＦＩＤ読取以外の機能を利用中であるかを判別する段階と、
（ｇ）前記（ｆ）段階で前記ＲＦＩＤ読取以外の機能が利用中である場合に前記ＲＦＩＤリーダに供給していた作動電源の供給を遮断して前記ＲＦＩＤリーダを前記読取モードから前記待機モードに切り替えさせる段階と
を更に含むことを特徴とする請求項２に記載の移動端末のＲＦＩＤリーダ電源制御方法。
【請求項４】
前記電源制御方法は、
（ｈ）前記（ｆ）段階で前記ＲＦＩＤ読取以外の機能を利用しない場合に前記ＲＦＩＤリーダの読取モードを維持しながら、ＲＦＩＤ信号が既に設定された時間以内に受信されるかを判別する段階と、
（ｉ）前記既に設定された時間以内に前記ＲＦＩＤ信号が受信されると、持続的に前記ＲＦＩＤリーダの読取モードを維持し、前記既に設定された時間以内に前記ＲＦＩＤ信号が受信されなければ、前記ＲＦＩＤリーダに供給していた作動電源の供給を遮断して前記ＲＦＩＤリーダを前記読取モードから前記待機モードに切り替えさせる段階と
を更に含むことを特徴とする請求項３に記載の移動端末のＲＦＩＤリーダ電源制御方法。
【請求項５】
前記電源制御方法は、
（ｊ）前記（ｇ）段階で前記ＲＦＩＤリーダの待機モードを維持する状態で前記ＲＦＩＤ読取以外の機能が終了するかをチェックする段階と、
（ｋ）前記（ｊ）段階で前記ＲＦＩＤ読取以外の機能が終了すると、前記ディスプレイの駆動モードを判別すると共に前記移動端末が待機モードであるか、又は作動モードであるかをチェックする段階と、
（ｌ）前記（ｋ）段階で前記ディスプレイがスリップモードであるか、前記移動端末が待機モードであれば、前記ＲＦＩＤリーダの待機モードを維持する段階と、
（ｍ）前記（ｋ）段階で前記ディスプレイが作動モードであるか、前記移動端末が作動モードであれば、前記ＲＦＩＤ読取以外の機能を利用中であるかを判別して、前記ＲＦＩＤ読取以外の機能を利用しない場合であれば、前記ディスプレイがスリップモードに切り替わるまでＲＦＩＤ自動探知を繰り返して行う段階と
を更に含むことを特徴とする請求項３に記載の移動端末のＲＦＩＤリーダ電源制御方法。
【請求項６】
前記電源制御方法は、
（ｎ）前記（ｍ）段階で前記ＲＦＩＤ自動探知を行った後にＲＦＩＤ信号の読取が終了したかを判別する段階と、
（ｏ）前記（ｎ）段階で前記ＲＦＩＤ信号の読取が終了していない場合には前記ＲＦＩＤリーダの読取モードを維持する段階と、
（ｐ）前記（ｎ）段階で前記ＲＦＩＤ信号の読取が終了した場合には前記ディスプレイがスリップモードに切り替わるまで前記ＲＦＩＤ自動探知を繰り返して行った後に前記ＲＦＩＤリーダを読取モードから待機モードに切り替える段階と
を更に含むことを特徴とする請求項５に記載の移動端末のＲＦＩＤリーダ電源制御方法。
【発明の詳細な説明】
【技術分野】
【０００１】
本発明は移動端末の電源制御に関し、更に詳しくは、ＲＦＩＤリーダを内蔵した移動端末の電源を適応的に制御する方法に関する。
【背景技術】
【０００２】
周知のように、ＲＦＩＤ（Ｒａｄｉｏ  Ｆｒｅｑｕｅｎｃｙ  ＩＤｅｎｔｉｆｉｃａｔｉｏｎ）は客体（物、生物体など）に付着、或いは内蔵される電子素子であって、一般に、コンピューティング機能を付与する電子チップ（ユビキタスチップ）、無線通信機能を提供するアンテナ、周辺環境を感知するセンサなどで構成される。
【０００３】
近年、ＲＦＩＤリーダを移動端末に内蔵させ、このような移動端末を用いて客体に付着（内蔵）されたＲＦタグから受信したＲＦＩＤデータを読み取り、このように読み取られたＲＦＩＤデータを遠隔地のホストシステムである情報管理サーバなどに伝送して所望のサービスを提供するモデルが相次いで提案されている。
【０００４】
図１は、ＲＦＩＤリーダを内蔵した移動端末を用いて移動通信システムを実現した例を示す構成図である。
【０００５】
図示のように、移動通信システムは、ＲＦＩＤタグが取り付けられた客体１０２、移動端末１０４、移動通信網基地局１０６、データ網１０８及び情報管理サーバ１１０などを含む。
【０００６】
移動端末１０４はＲＦＩＤリーダが内蔵されたものであって、客体１０２に取り付けられたＲＦＩＤタグからＲＦ信号を受信してＲＦＩＤデータを読み取り、このように読み取られたＲＦＩＤデータを無線送出できる信号に変調し、これを無線伝送して移動通信網、即ち、移動通信網基地局１０６とデータ網１０８を介して情報管理サーバ１１０に伝送する。また、移動端末１０４は情報管理サーバ１１０からデータ網１０８と移動通信網基地局１０６を経由して提供されるＲＦＩＤデータを客体１０２に取り付けられたＲＦＩＤタグに伝送することで、客体１０２のＲＦＩＤタグに新たなＲＦＩＤデータを記録したり、或いは客体１０２のＲＦＩＤタグに記録されたＲＦＩＤデータを更新するなどの機能を提供する。
【０００７】
また、情報管理サーバ１１０は、データ網１０８と移動通信網基地局１０６を介して移動端末１０４とＲＦＩＤデータを送受信する機能を提供する。即ち、情報管理サーバ１１０は、移動通信網基地局１０６とデータ網１０８を介してＲＦＩＤデータを受信してＲＦＩＤデータと共に伝達された加入者アドレス情報（例えば、ＩＰアドレス）にＲＦＩＤデータを伝送したり、或いは加入者アドレス情報から伝送されたＲＦＩＤデータの伝達を受けてこれをデータ網１０８及び移動通信網基地局１０６を介して移動端末１０４に伝送するなどの機能を提供する。
【０００８】
一方、前述したように、ＲＦＩＤリーダが内蔵された移動端末を用いて客体に取り付けられたＲＦＩＤタグからＲＦ信号を読み取る（リードする）ためには、即ち、移動端末でＲＦＩＤ読取機能を実現するためにはユーザがツリー構造を有するインターフェース（多段階のインターフェース）を通じてメニュー画面上で該当機能、例えばＲＦＩＤ読取モードを選択し、このように移動端末をＲＦＩＤ読取モードに切り替えた状態で客体に取り付けられたＲＦＩＤタグからＲＦ信号を読み取るようになる。ここで、ＲＦＩＤ読取モードとは、ＲＦＩＤリーダに電源が供給される状態を意味し、ＲＦＩＤ読取モードでない場合にはＲＦＩＤリーダに電源が供給されないが、これは不要な電力消耗を防止するためである。
【０００９】
しかしながら、前述したように、メニュー画面上で多段階のインターフェースを通じて移動端末をＲＦＩＤ読取モードに切り替えて用いる従来方式は頻繁なユーザ操作により利用の利便性が顕著に低下してしまうという問題があり、このような問題は結局、消費者（移動端末ユーザ）にサービスへの不満を誘発させる要因として作用しているのが現状である。
【００１０】
このような従来技術の問題点を解決するために、既に設定されたホットキーを用いて移動端末をＲＦＩＤ読取モードに切り替える方法も考慮することができる。しかし、このような方法の場合、数多くの機能を有する移動端末の全ての機能をそれぞれ１つのホットキーで接近できるように設計することが現実的に困難であるという点を考慮すれば、根本的な解決策にはなれない。
【００１１】
一方、前述した従来技術の問題点を解決するための他の方策として、移動端末に内蔵されたＲＦＩＤリーダに常に電源を供給、即ち、移動端末がＲＦＩＤ読取モードを継続的に維持するようにする方案が考えられるが、このような方法の場合、不要に電力消耗が増加してしまうという別の問題を有する。
【００１２】
このような従来技術の問題点を解決するために、下記の特許文献１を通じて「適応的な電源制御機能を有する移動端末及びその電源制御方法」が提案されている。このような先出願特許に開示された移動端末の電源制御方法を詳察すれば、以下の通りである。
【００１３】
まず、移動端末がフォルダの開放、フリップの開放又はスライドの開放のうちのいずれの状態であるかを確認して作動モードであるか、或いは待機モードであるかをチェックし、移動端末が待機モードである場合はＲＦＩＤリーダへの電源の供給を遮断し、移動端末が作動モードである場合にはＲＦＩＤリーダへ電源を供給する。
【００１４】
このような先出願特許は、ＲＦＩＤリーダを有する移動端末をＲＦＩＤ読取モードに切り替えようとする時、複雑な多段階のメニューインターフェースで実現しないので、ＲＦＩＤを活用するサービス利用の利便性を大幅に増進させることができるだけでなく、フォルダ、フリップ又はスライドが閉の状態である時、ＲＦＩＤチップへの電源の供給を遮断することで、ＲＦＩＤ読取モードを実行するのに要される不要な電力消耗を低減できる。
【００１５】
ところが、先出願特許はＲＦＩＤリーダを待機モードから読取モードに自動で切り替える過程において移動端末がフォルダの開放、フリップの開放又はスライドの開放のうちのいずれの状態であるかを確認する手順を行うが、移動端末のデザイン特性に応じて互いに異なる基準が適用されるので、電源制御の統一性が欠如しているという不備があった。
【００１６】
また、ＲＦＩＤリーダを待機モードから読取モードに切り替えた後は節電のための制御手順が備えられていないという不備があった。
【先行技術文献】
【特許文献】
【００１７】
【特許文献１】大韓民国特許出願第１０−２００６−００２６０７２号
【発明の概要】
【発明が解決しようとする課題】
【００１８】
本発明は上記事情に鑑みてなされたものであって、移動端末のディスプレイ状態をチェックした結果に応じてＲＦＩＤリーダを待機モードから読取モードに自動で切り替えることで、移動端末のデザイン特性とは関係なく、電源制御の統一性を提供しながらも、節電効率が低下しない移動端末のＲＦＩＤリーダ電源制御方法を提供することにある。
【００１９】
また、本発明の他の目的は、ＲＦＩＤリーダを待機モードから読取モードに切り替えた後に節電のための制御手順を提供することで、節電効率を向上させる移動端末のＲＦＩＤリーダ電源制御方法を提供することにある。
【課題を解決するための手段】
【００２０】
前記目的を達成するための本発明によれば、（ａ）ＲＦＩＤ（ｒａｄｉｏ  ｆｒｅｑｕｅｎｃｙ  ｉｄｅｎｔｉｆｉｃａｔｉｏｎ）リーダに作動電源が供給されない待機モードでディスプレイの駆動モードをチェックする段階と、（ｂ）前記ディスプレイの駆動モードがスリップモードである場合には前記ＲＦＩＤリーダの待機モードを維持し、前記ディスプレイの駆動モードが作動モードである場合にはＲＦＩＤメニューインターフェースをチェックする段階と、（ｃ）前記ＲＦＩＤメニューインターフェースが、ＲＦＩＤ自動探知機能が設定されていない状態であるとチェックされると、前記ＲＦＩＤリーダの待機モードを維持し、前記ＲＦＩＤ自動探知機能が設定された状態であるとチェックされると、前記ＲＦＩＤリーダに作動電源を供給して前記ＲＦＩＤリーダを読取モードに切り替えさせる段階とを含む移動端末のＲＦＩＤリーダ電源制御方法が提供される。
【発明の効果】
【００２１】
本発明によれば、移動端末のデザイン特性とは関係なく、電源制御の統一性を提供しながらも、従来技術と比較したとき、節電効率が低下しないという効果を奏する。
また、ＲＦＩＤリーダを待機モードから読取モードに切り替えた後に節電のための制御手順を提供して節電効率を向上させることができる。
【図面の簡単な説明】
【００２２】
【図１】ＲＦＩＤリーダを内蔵した移動端末を用いて移動通信システムを実現した例を示す構成図である。
【図２】本発明によるＲＦＩＤリーダの電源制御方法を行える移動端末のブロック構成図である。
【図３】本発明の第１実施形態によるＲＦＩＤリーダの電源制御方法を説明するフローチャートである。
【図４】本発明の第２実施形態によるＲＦＩＤリーダの電源制御方法を説明するフローチャートである。
【図５】本発明の第２実施形態によるＲＦＩＤリーダの電源制御方法を説明するフローチャートである。
【図６】本発明の第３実施形態によるＲＦＩＤリーダの電源制御方法を説明するフローチャートである。
【発明を実施するための形態】
【００２３】
以下、本発明の好適な実施形態を添付する図面を参照して詳細に説明する。
図２は、本発明によるＲＦＩＤリーダの電源制御方法を行える移動端末のブロック構成図である。
【００２４】
図２に示すように、本発明のための移動端末は、ＲＦ受信ブロック２０２、ＲＦＩＤリーダ２０４、端末状態感知ブロック２０６、制御ブロック２０８、電源供給ブロック２１０、変／復調ブロック２１２、送受信ブロック２１４、ディスプレイ２１６などを含んで構成される。
【００２５】
ＲＦ受信ブロック２０２は、一例として図１に示す客体１０２に付着或いは内蔵されたＲＦＩＤタグからＲＦ信号を受信する。このために、ＲＦ受信ブロック２０２は、ＲＦＩＤ用アンテナを内蔵しており、受信されたＲＦ信号からＲＦＩＤデータを抽出してＲＦＩＤリーダ２０４に伝達する。
【００２６】
ＲＦＩＤリーダ２０４は、内部メモリに格納されたＲＦＩＤデータの処理のためのアプリケーションを有する。ＲＦリーダ２０４は、ＲＦ受信ブロック２０２から伝達されたＲＦＩＤデータを読み取って制御ブロック２０８に伝達する。このようなＲＦＩＤリーダ２０４には、電源供給ブロック２１０から作動（ＲＦＩＤデータの読取処理）のための電源が本発明によって選択的に供給される。
【００２７】
端末状態感知ブロック２０６は、例えば、フォルダ型移動端末のフォルダの開放、フリップ型移動端末のフリップの開放、スライド型移動端末のスライドの開放（スライドアップ又はスライドダウン）を感知するセンサを含む。端末状態検出ブロック２０６によって感知される信号は制御ブロック２０８に伝達される。
【００２８】
ディスプレイ２１６は、例えば、液晶表示素子（Ｌｉｑｕｉｄ  Ｃｒｙｓｔａｌ  Ｄｉｓｐｌａｙ：ＬＣＤ）などで具現することができる。ディスプレイ２１６の種々の駆動モードのうち、作動モードではバックライトがオンとなり、スリップモードではバックライトがオフとなる。このようなディスプレイ２１６の駆動モードは制御ブロック２０８のディスプレイ電源制御信号に応じて電源供給ブロック２１０が作動電源を供給又は遮断する際に切り替わる。
【００２９】
制御ブロック２０８は、例えば、移動端末の全般的な動作制御を行うマイクロプロセッサなどを含み、ＲＦＩＤリーダ２０４から受信したＲＦＩＤデータを遠隔地サーバへ伝送するために変／復調ブロック２１２に伝達する。
【００３０】
そして、制御ブロック２０８は、端末状態感知ブロック２０６から受信した感知信号に基づいて移動端末の現在の状態が作動モードであるか、或いは待機モードであるかなどを判断する機能などを行う。ここで、作動モードはフォルダ型移動端末のフォルダの開放、フリップ型移動端末のフリップの開放、スライド型移動端末のスライドの開放状態を意味し、待機モードはフォルダ、フリップ、スライドなどが閉じられている状態（即ち、電話、メッセージなどを受信できる状態）を意味する。
【００３１】
更に、制御ブロック２０８は、キーパッドが操作されたか否かなどのようなディスプレイ電源の供給条件に基づいて電源供給ブロック２１０にディスプレイ電源制御信号を出力してディスプレイ２１６を作動モードに切り替えさせるが、この時、電源供給ブロック２１０にＲＦＩＤリーダ電源制御信号を共に出力してＲＦＩＤリーダ２０４を待機モードから読取モードに切り替える。
【００３２】
また、制御ブロック２０８は、ＲＦＩＤメニューインターフェースのチェック、移動端末の動作モード（待機モード又は作動モード）、ＲＦＩＤ読取以外の機能、ＲＦＩＤ信号を受信したか否か、ＲＦＩＤの自動探知及び読取が終了したか否かなど各種入力信号及びチェック結果を受信し、これを用いてＲＦＩＤリーダ２０４を待機モードと読取モード間で切り替える。このような制御ブロック２０８の制御によるＲＦＩＤリーダ２０４の待機モードと読取モード間の切り替え過程は図３〜図６を参照した下記の説明から十分に理解できる。
【００３３】
電源供給ブロック２１０は、例えば、電源供給用バッテリとバッテリからの電源をＲＦＩＤリーダ２０４側へ選択的に供給するためのスイッチング手段を備える。電源供給ブロック２０４は、制御ブロック２０８から提供されるディスプレイ電源制御信号に応じてディスプレイ２１６へ電源を選択的に供給し、ＲＦＩＤリーダ電源制御信号に応じてＲＦＩＤリーダ２０４へ電源を選択的に供給する。
【００３４】
変／復調ブロック２１２は、制御ブロック２０８から提供されるＲＦＩＤデータ或いは通話中のユーザ音声を無線送出できる信号に復調して移動通信用アンテナを含む送受信ブロック２１４に伝達する。また、変／復調ブロック２１２は送受信ブロック２１４から提供される変調されたＲＦ信号を変調前の原信号に復調して制御ブロック２０８に提供する。
【００３５】
図３〜図６は、本発明の様々な実施形態によってＲＦＩＤリーダの電源を制御する方法を説明するフローチャートである。このようなフローチャートと図２の構成図を参照して本発明による移動端末のＲＦＩＤリーダ電源制御方法について説明すれば、以下の通りである。
【００３６】
図３を参照すれば、ＲＦＩＤリーダ２０４に作動電源が供給されない待機モード（段階Ｓ３０１）で制御ブロック２０８はディスプレイ２１６の状態をチェック、即ち、駆動モードをチェックする（段階Ｓ３０３）。
【００３７】
段階Ｓ３０５において、ディスプレイ２１６の駆動モードが、バックライトがオフ状態のスリップモードである場合にはＲＦＩＤリーダ２０４に作動電源を供給しない待機モードを維持する。しかし、ディスプレイ２１６のバックライトがオン状態の作動モードである場合には、ＲＦＩＤメニューインターフェースをチェックする（段階Ｓ３０７）。
【００３８】
段階Ｓ３０９において、ＲＦＩＤメニューインターフェースが、ＲＦＩＤ自動探知機能が設定された状態である場合には、制御ブロック２０８はＲＦＩＤリーダ電源供給制御信号を生成して電源供給ブロック２１０に提供し、電源供給ブロック２１０はＲＦＩＤデータの読取処理のための作動電源をＲＦＩＤリーダ２０４に供給する。これにより、ＲＦＩＤリーダ２０４は待機モードから読取モードに切り替わってＲＦＩＤ信号の受信及びＲＦＩＤデータの読取手順が行われる（段階Ｓ３１１）。
【００３９】
一方、段階Ｓ３０９でＲＦＩＤメニューインターフェースをチェックした結果、ＲＦＩＤ自動探知機能が設定されていない状態であると判別されると、ＲＦＩＤリーダ２０４を待機モードに維持させる。
【００４０】
図４を参照すれば、ＲＦＩＤリーダ２０４に作動電源が供給される読取モード（段階Ｓ４０１）で、制御ブロック２０８はディスプレイ２１６の状態をチェック、即ち、駆動モードをチェックする（段階Ｓ４０５）。
【００４１】
このとき、端末状態感知ブロック２０６では移動端末のフォルダ、フリップ或いはスライドが開放されるか否かをチェックし、そのチェック結果に応じて移動端末が待機モードであるか、或いは作動モードであるかを制御ブロック２０８に知らせる（段階Ｓ４０３）。
【００４２】
すると、制御ブロック２０８は、段階Ｓ４０７または段階４０９において、移動端末のフォルダ、フリップ或いはスライドが閉じられている待機モードであるか、またはディスプレイ２１６のバックライトがオフ状態のスリップモードである場合にＲＦＩＤリーダ電源遮断制御信号を生成して電源供給ブロック２１０に提供する。これに応じて、電源供給ブロック２１０はＲＦＩＤデータの読取処理のためにＲＦＩＤリーダ２０４に供給していた作動電源の供給を遮断する。これにより、ＲＦＩＤリーダ２０４は読取モードから待機モードに切り替わる（段階Ｓ４１９）。
【００４３】
また、制御ブロック２０８は、移動端末のフォルダ、フリップ或いはスライドが開放された作動モードであるか、またはディスプレイ２１６のバックライトがオン状態の作動モードである場合には、ＲＦＩＤ読取以外の機能を利用中であるかをチェックする（段階Ｓ４１１）。
【００４４】
段階Ｓ４１３において、ＲＦＩＤ読取以外の機能が利用中である場合にはＲＦＩＤ読取機能を利用する意思がないと見なして、制御ブロック２０８がＲＦＩＤリーダ電源遮断制御信号を生成して電源供給ブロック２１０に提供する。これに応じて、電源供給ブロック２１０はＲＦＩＤデータの読取処理のためにＲＦＩＤリーダ２０４に供給していた作動電源の供給を遮断する。これにより、ＲＦＩＤリーダ２０４は読取モードから待機モードに切り替わる（段階Ｓ４１９）。
【００４５】
ＲＦＩＤ読取以外の機能を利用しない場合には制御ブロック２０８がＲＦＩＤリーダ２０４の読取モードを維持しながら、ＲＦＩＤ信号が既に設定された時間以内に受信されるかを判別する（段階Ｓ４１５〜段階Ｓ４１７）。既に設定された時間以内にＲＦＩＤ信号が受信されると、持続的にＲＦＩＤリーダ２０４の読取モードを維持するか、既に設定された時間以内にＲＦＩＤ信号が受信されなければ、ＲＦＩＤリーダ２０４に供給していた作動電源の供給を遮断して読取モードから待機モードに切り替えさせる（段階Ｓ４１９）。
【００４６】
一方、段階Ｓ４１１、段階Ｓ４１３の実行結果として、ＲＦＩＤリーダ２０４が読取モードから待機モードに切り替わった後に、制御ブロック２０８は利用中であったＲＦＩＤ読取以外の機能が終了するかをチェックしてＲＦＩＤリーダ２０４の駆動モードを持続的に管理する。これを図５を参照して説明する。
【００４７】
図５を参照すれば、ＲＦＩＤリーダ２０４の待機モードを維持する状態（段階Ｓ４１１〜段階Ｓ４１９）で、制御ブロック２０８は利用中であったＲＦＩＤ読取以外の機能が終了するかをチェックする（段階Ｓ４２１）。
【００４８】
利用中であったＲＦＩＤ読取以外の機能が終了すると、制御ブロック２０８はディスプレイ２１６の状態をチェック、即ち、駆動モードをチェックすると共に移動端末のフォルダ、フリップ或いはスライドが開放されるか否かをチェックして移動端末が待機モードであるか、或いは作動モードであるかをチェックする（段階Ｓ４２３）。
【００４９】
チェックした結果、ディスプレイ２１６がスリップモードであるか、移動端末のフォルダ、フリップ或いはスライドが閉じられている待機モードである場合にはＲＦＩＤリーダ２０４の待機モードが維持される（段階Ｓ４３３）。
【００５０】
しかしながら、ディスプレイ２１６が作動モードであるか、移動端末が作動モードである場合には、再びＲＦＩＤ読取以外の機能を利用中であるかを判別する（段階Ｓ４２５）。その後、ＲＦＩＤ読取以外の機能を利用しない場合であれば、ディスプレイ２１６がスリップモードに切り替わるまでＲＦＩＤ自動探知を繰り返して行う（段階Ｓ４２７〜段階Ｓ４３１）。
【００５１】
一方、段階Ｓ４３１のように、ＲＦＩＤ自動探知を行った後にＲＦＩＤ信号の読取が終了した場合でも制御ブロック２０８はＲＦＩＤリーダ２０４の駆動モードを持続的に管理するが、これを図６を参照して説明する。
【００５２】
図６を参照すれば、ＲＦＩＤリーダ２０４の読取モードを維持した状態（段階Ｓ５０１）で制御ブロック２０８はＲＦＩＤリーダ２０４によりＲＦＩＤ自動探知の実行後にＲＦＩＤ信号の読取が終了したかを判別する（段階Ｓ５０３）。
【００５３】
段階Ｓ５０３の判別結果、ＲＦＩＤ信号の読取が終了していない場合にはＲＦＩＤリーダ２０４の読取モードを維持するが、ＲＦＩＤ信号の読取が終了した場合にはディスプレイ２１６がスリップモードに切り替わるまでＲＦＩＤ自動探知を繰り返して実行（段階Ｓ５０５〜段階Ｓ５０９）する。その後、ＲＦＩＤリーダ２０４を読取モードから待機モードに切り替える（段階Ｓ５１１）。
【００５４】
以上、本発明の一実施形態に限定して説明したが、本発明の技術が当業者によって容易に変形実施される可能性が自明である。このような変形された実施形態は、本発明の特許請求の範囲に記載された技術思想に当然含まれるものと解釈されるべきである。
【図１】
2010519842.tif 000003
【図２】
2010519842.tif 000004
【図３】
2010519842.tif 000005
【図４】
2010519842.tif 000006
【図５】
2010519842.tif 000007
【図６】
2010519842.tif 000008
【国際調査報告】
2010519842.tif 000009
2010519842.tif 000010